(57)【要約】【課題】  穀茎同士が絡み合って縄状になり、扱歯に絡まったり、或いは脱穀装置内に詰まったりして、正常に脱穀できないという問題の生じない脱穀装置を提供する。【解決手段】  投入口と排出口を備えた扱室と、扱室内に回転自在に支持された筒状の扱胴と、扱胴の外周面に配置された１又は複数の扱歯からなる脱穀装置において、扱歯は、柔軟性のある板状体または紐状体からなる構成の脱穀装置とした。 【選択図】図１
2019106899.tif 000002
【特許請求の範囲】
【請求項１】
投入口と排出口を備えた扱室と、
扱室内に回転自在に支持された筒状の扱胴と、
扱胴の外周面に配置された１又は複数の扱歯からなる脱穀装置において、当該扱歯は、柔軟性のある板状体または紐状体からなることを特徴とする脱穀装置。
【請求項２】
請求項１に記載の脱穀装置であって、
前記扱歯は、プラスチック、ラバー、皮革材料のいずれかから構成されていることを特徴とする脱穀装置。
【請求項３】
請求項１又は２に記載の脱穀装置であって、
前記扱室の投入口に、更に、穀茎の把持装置を備えたことを特徴とする脱穀装置。
【請求項４】
請求項１乃至３のいずれかに記載の脱穀装置であって、
前記扱室の排出口に、更に、穀粒と茎屑の選別を行なうための選別装置を備えたことを特徴とする脱穀装置。
【発明の詳細な説明】
【技術分野】
【０００１】
本発明は、穀物の脱穀装置に関するものであり、更に詳細には、脱穀装置が有する扱胴の扱歯に関するものである。
【背景技術】
【０００２】
従来の脱穀装置における扱歯は、扱胴の外周上に半径方向外側に向かって伸びた複数のピン状の丸棒で構成したり（特許文献１）、あるいは、丸棒を台形状に折り曲げ、これを扱胴の外周外側に向け、螺旋状に複数個埋め込んで固定することによって構成していた（特許文献２）。
【０００３】
しかしながら、このような従来の脱穀装置では、穀茎同士が絡み合って縄状になり、扱歯に絡まったり、或いは脱穀装置内に詰まったりして、正常に脱穀できないという問題が生じていた。  このようなトラブルは、例えば、そばのように穀茎が十分に乾燥していない段階で収穫する必要がある穀物において、特に頻発する傾向にあった。
【先行技術文献】
【特許文献】
【０００４】
【特許文献１】特開２０１１−１８２６５３号公報
【特許文献２】特開２００９−２２５７２６号公報
【発明の概要】
【発明が解決しようとする課題】
【０００５】
本発明は、上述したような技術的背景に鑑みなされたものであり、穀茎同士が絡み合って縄状になり、扱歯に絡まったり、或いは脱穀装置内に詰まったりして、正常に脱穀できないという問題の生じない脱穀装置を提供することを課題とする。
【課題を解決するための手段】
【０００６】
上記課題を解決するために、第１の観点に係る発明では、投入口と排出口を備えた扱室と、扱室内に回転自在に支持された筒状の扱胴と、扱胴の外周面に配置された１又は複数の扱歯からなる脱穀装置において、扱歯は、柔軟性のある板状体または紐状体からなる構成の脱穀装置とした。
【０００７】
また、第２の観点に係る発明では、第１の観点に係る発明の脱穀装置であって、扱歯は、プラスチック、ラバー、皮革材料のいずれかから構成されている脱穀装置とした。
【０００８】
また、第３の観点に係る発明では、第１又は第２の観点に係る発明の脱穀装置であって、扱室の投入口に、更に、穀茎の把持装置を備えた構成の脱穀装置とした。
【０００９】
また、第４の観点に係る発明では、第１乃至第３の何れかの観点に係る発明の脱穀装置であって、扱室の排出口に、更に、穀粒と茎屑の選別を行なうための選別装置を備えた構成の脱穀装置とした。
【発明の効果】
【００１０】
本発明によれば、投入口と排出口を備えた扱室と、扱室内に回転自在に支持された筒状の扱胴と、扱胴の外周面に配置された１又は複数の扱歯からなる脱穀装置において、扱歯は、柔軟性のある板状体または紐状体からなる構成の脱穀装置とした結果、穀茎同士が絡み合って縄状になり、扱歯に絡まったり、或いは脱穀装置内に詰まったりして、正常に脱穀できないという問題の生じない脱穀装置とすることができた。
【図面の簡単な説明】
【００１１】
【図１】図１は、本発明の第１の実施例に係る脱穀装置の正面図および側面図を示す。
【図２】図２は、本発明の第２の実施例に係る脱穀装置であって、扱室の投入口に、更に、穀茎の把持装置を備えた構成の脱穀装置の正面図および側面図を示す。
【発明を実施するための形態】
【００１２】
以下、図面を用いて本発明の実施形態について説明する。  図１は、本発明の第１の実施例に係る脱穀装置１０の正面図および側面図を示したものである。  第１の実施例に係る脱穀装置１０は、投入口１１−１と排出口１１−２を備えた扱室１１と、扱室１１内に回転自在に支持された筒状の扱胴１２と、扱胴の外周面に配置された１又は複数の扱歯１３から構成されている。
【００１３】
扱室１１は、脱穀装置１０のハウジングを成す構成要素であり、穀茎の根本部分を手で保持しつつ穀物のついた穀茎の先端部分を挿入するための投入口１１−１と、脱穀した穀物と穀茎から分離した茎屑を一緒にして排出するための排出口１１−２を備えている。
【００１４】
また、扱室１１の中央部には筒状の扱胴１２が配置され、扱胴１２の内部には回転シャフト１２−１が貫通して伸び、扱胴１２と回転シャフト１２−１は、回転軸を同一にして一体化されている。  扱胴１２の回転シャフト１２−１は扱胴１２本体の両端面から突起して外方へ伸び、回転シャフト１２−１の両端部は軸受等を介して扱室の両側壁１１−３に回転自在に支持されている。  したがって、共通の回転軸を持った扱胴１２と中心軸１２−１は、一体となって回転自在に支持されている。
【００１５】
扱胴１２は、円筒状または断面多角形の筒状をなし、その外周には複数の扱歯１３が固定されている。  扱歯１３は、柔軟性のある板状体または紐状体であって、ナイロンやビニール等のプラスチック、天然ゴムや合成ゴム等のラバー、あるいは牛革や豚皮等の皮革材料から製造することができる。
【００１６】
扱歯１３を扱胴１２の外周に固定する方法としては、図１に示すように扱胴１２の外周に板状部材１２−２を突起させ、この突起部材１２−２に扱歯１３をボルト・ナットで固定しても良い。  あるいは、扱胴１２の外周に２枚の板状部材１２−２を突起させ、この２枚の突起部材１２−２の間に扱歯１３挟み込み、これらをボルト・ナットで貫通し固定するようにしても良い。
【００１７】
扱歯１３を板状体で構成する場合には、１枚の扱歯１３が扱胴１２本体の一方の側端から他方の側端に亘って伸びる（従って、扱歯１３の幅と扱胴１２本体の中心軸方向長さが同じになる）ように設置しても良い。  あるいは、扱歯１３を扱胴１２の中心軸方向に複数に分割し、これら分割された扱歯１３を扱胴１２本体の中心軸方向に沿って、所定の間隔をあけ、あるいは間隔をあけずに配置するようにしても良い。
【００１８】
なお、扱歯１３を扱胴１２の中心軸方向に複数に分割した場合や、紐状体の扱歯１３を使用する場合等には、扱歯１３を扱胴１２の外周に螺旋状に配置するようにしても良い。
【００１９】
前述した扱胴１２の回転シャフト１２−１の一方の端部は、駆動源に連結され、図１に矢印にて示す方向に回転するようになっている。  回転シャフト１２−１の一方の端部を駆動源に連結する方法としては、例えば、回転シャフト１２−１の一方の端部に従動プーリ１４−１を嵌合固定させ、電動モータ（図示せず）に連結された駆動プーリ（図示せず）との間に駆動ベルト１４−２を掛け回して、電動モータを駆動することによって扱胴１２を回転させるようにしても良い。
【００２０】
上述したような構成の脱穀装置１０においては、穀茎の根本部分を手で保持しつつ穀物のついた穀茎の先端部分を脱穀装置１０の投入口１１−１に挿入して、穀茎の先端付近についた穀物を脱穀する。  穀茎の先端部分を脱穀装置１０の投入口１１−１に挿入すると、穀茎の先端部分は、高速回転する扱歯１３によって打撃を加えられ、それによって穀茎の先端部分についた穀物は、穀茎から分離する。
【００２１】
第１の実施例に係る脱穀装置１０では、穀茎を手で把持しつつ脱穀を行ないながら、穀茎全体を脱穀装置１０に投入するようにしても良いし、穀茎を手で把持しつつ脱穀を行ない、脱穀が終了した段階で残った穀茎を投入口１１−１から引き出すようにしても良い。
【００２２】
次に、図２に基づき、本発明の第２の実施例について説明する。  図２は、本発明の第２の実施例に係る脱穀装置２０であって、扱室の投入口に、更に、穀茎の把持装置６０を備えた構成の脱穀装置の正面図および側面図を示したものである。
【００２３】
本発明の第２の実施例に係る脱穀装置２０が、第１の実施例に係る脱穀装置１０と異なるのは、扱室１１の投入口１１−１に、更に、穀茎の把持装置６０を備えた点にあり、把持装置６０以外の点においては、第２の実施例に係る脱穀装置２０と第１の実施例に係る脱穀装置１０とは同じ構成となっている。  したがって、ここでは第２の実施例に係る脱穀装置２０と第１の実施例に係る脱穀装置１０の共通する構成については説明を省略する。
なお、第２の実施例に係る脱穀装置２０において、第１の実施例に係る脱穀装置１０と同じ構成要素については、第１の実施例に係る脱穀装置１０と同じ符号を付してある。
【００２４】
第２の実施例に係る脱穀装置２０の把持装置６０は、穀茎を把持しながら穀茎を脱穀装置２０の中に徐々に送り込むための装置である。  把持装置６０は、上下に配置された２個のローラ６１からなり、各ローラの円周上外側には穀茎を確実に把持するための複数の把持爪６１−１が突出して設けられている。  ２個のローラ６１の側端部には、扱胴１２の駆動方法と同様な方法によって駆動する駆動源（図示せず）と連結されている。
【００２５】
そして２個のローラ６１は、図２の矢印で示すように、互いに逆方向に低速で回転するようになっている。  その結果、把持装置６０の２個のローラ６１の間に挿入された穀茎は、２個のローラ６１に設けられた把持爪６１−１によって確実に把持され、穀茎は扱歯１３の方へ徐々に送り込まれる。
【００２６】
その結果、穀茎の先端部分は、高速回転する扱歯１３によって打撃を加えられ、それによって穀茎の先端部分についた穀物は、穀茎から分離し、脱穀が行われるようになっている。
【００２７】
なお、脱穀が完了した穀茎も脱穀装置２０の内部へ投入されるため、穀茎も扱歯１３によって破砕され、脱穀された穀物と、破砕された穀茎（穀茎屑）とは一緒になって脱穀装置２０の排出口１１−２から排出されるようになっている。
【００２８】
ここで説明した把持装置６０は、全量投入型の脱穀装置２０に使用される把持装置６０であったが、本発明の脱穀装置２０に使用できる把持装置６０は、これに限定されるものではない。  例えば、チェーンコンベアを使用し、穀茎を把持しつつ、穀茎を扱胴１２の軸心に沿って軸心の長手方向に移動させる方式の把持装置とすることもできる。
【００２９】
このようなチェーンコンベアを使用した把持装置を採用することにより、脱穀の完了した穀茎を脱穀装置２０の内部に投入することなく、脱穀装置２０の外部へ取り出すことが可能となる。
【００３０】
以上説明した本発明の第１の実施例に係る脱穀装置１０および第２の実施例に係る脱穀装置２０では、排出口１１−２から排出される脱穀後の穀物には、穀茎屑が混入している。  この脱穀後の穀物と穀茎屑を選別するために、脱穀装置１０、２０の排出口１１−２近傍に選別装置７０（図示せず）を配置するようにしても良い。
【００３１】
選別装置７０としては、公知の穀物選別装置を利用することができ、例えば、揺動式の選別装置と選別風を送り出す選別ファンとを備えた穀物選別装置を使用するようにしても良い。
【００３２】
以上説明した脱穀装置１０、２０は、コンバインの脱穀装置として利用することもできる。
【符号の説明】
【００３３】
１０        第１の実施例に係る脱穀装置
１１        扱室
１１−１    投入口
１１−２    排出口
１１−３    扱室の両側壁
１２        扱胴
１２−１    回転シャフト
１２−２    板状部材
１３        扱歯
１４−１    従動プーリ
１４−２    駆動ベルト
２０        第２の実施例に係る脱穀装置
６０        把持装置
６１        ローラ
６１−１    把持爪
７０        選別装置（図示せず）
【図１】
2019106899.tif 000003
【図２】
2019106899.tif 000004
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
投入口と排出口を備えた扱室と、
扱室内に回転自在に支持された筒状の扱胴と、
扱胴の外周面に配置された１又は複数の扱歯からなる脱穀装置において、当該扱歯は、柔軟性のある板状体または紐状体からなることを特徴とするそば用の脱穀装置。
【請求項２】
請求項１に記載のそば用の脱穀装置であって、
前記扱歯は、プラスチック、ラバー、皮革材料のいずれかから構成されていることを特徴とするそば用の脱穀装置。
【請求項３】
請求項１又は２に記載のそば用の脱穀装置であって、
前記扱室の投入口に、更に、穀茎の把持装置を備えたことを特徴とするそば用の脱穀装置。
【請求項４】
請求項１乃至３のいずれかに記載のそば用の脱穀装置であって、
前記扱室の排出口に、更に、穀粒と茎屑の選別を行なうための選別装置を備えたことを特徴とするそば用の脱穀装置。
【手続補正２】
【補正対象書類名】明細書
【補正対象項目名】０００６
【補正方法】変更
【補正の内容】
【０００６】
上記課題を解決するために、第１の観点に係る発明では、投入口と排出口を備えた扱室と、扱室内に回転自在に支持された筒状の扱胴と、扱胴の外周面に配置された１又は複数の扱歯からなる脱穀装置において、扱歯は、柔軟性のある板状体または紐状体からなる構成のそば用の脱穀装置とした。
【手続補正３】
【補正対象書類名】明細書
【補正対象項目名】０００７
【補正方法】変更
【補正の内容】
【０００７】
また、第２の観点に係る発明では、第１の観点に係る発明のそば用の脱穀装置であって、扱歯は、プラスチック、ラバー、皮革材料のいずれかから構成されているそば用の脱穀装置とした。
【手続補正４】
【補正対象書類名】明細書
【補正対象項目名】０００８
【補正方法】変更
【補正の内容】
【０００８】
また、第３の観点に係る発明では、第１又は第２の観点に係る発明のそば用の脱穀装置であって、扱室の投入口に、更に、穀茎の把持装置を備えた構成のそば用の脱穀装置とした。
【手続補正５】
【補正対象書類名】明細書
【補正対象項目名】０００９
【補正方法】変更
【補正の内容】
【０００９】
また、第４の観点に係る発明では、第１乃至第３の何れかの観点に係る発明のそば用の脱穀装置であって、扱室の排出口に、更に、穀粒と茎屑の選別を行なうための選別装置を備えた構成のそば用の脱穀装置とした。